(57)【要約】【課題】  使用時における視界の切れ味及び空気感を改善するようにしたメガネ及びメガネの各部に配置される機能部材を提供する。【解決手段】  一対のレンズ２０を保持するフロント，フロントの両端から後方に向かって延び且つ折り畳み可能に前記フロントに対して支持される一対のテンプル，フロントの中央部から後方に突出する一対の鼻パッドを含むメガネフレーム１１と、メガネフレームのフロントに保持された一対のプラスチック製のレンズ２０から成るメガネ１０において、メガネフレームの各部またはレンズの何れかに、セラミック製の機能部材３０を備えるように、メガネ１０を構成する。【選択図】  図１
2014074903.tif 000002
【特許請求の範囲】
【請求項１】
一対のレンズを保持するフロント，前記フロントの両端から後方に向かって延び且つ折り畳み可能に前記フロントに対して支持される一対のテンプル，前記フロントの中央部から後方に突出する一対の鼻パッドを含むメガネフレームと、前記メガネフレームのフロントに保持された一対のプラスチック製のレンズから成るメガネにおいて、
前記メガネフレームの各部またはレンズの何れかに、セラミック製の機能部材を備えたメガネ。
【請求項２】
前記機能部材が、セラミック製のチップ片から成ることを特徴とする、請求項１に記載のメガネ。
【請求項３】
前記チップ片が、その中心に穴を有していることを特徴とする、請求項２に記載のメガネ。
【請求項４】
前記チップ片が、円形の外形を有していることを特徴とする、請求項２または３に記載のメガネ。
【請求項５】
前記チップ片が、多角形状の外形を有していることを特徴とする、請求項２または３に記載のメガネ。
【請求項６】
前記機能部材が、前記メガネのレンズに配置され、前記メガネレンズに設けられた貫通穴内に挿入され固定されていることを特徴とする、請求項１に記載のメガネ。
【請求項７】
前記機能部材が、前記貫通穴の寸法に対応した棒状に形成されていることを特徴とする、請求項６に記載のメガネ。
【請求項８】
一対のレンズを保持するフロント，前記フロントの両端から後方に向かって延び且つ折り畳み可能に前記フロントに対して支持される一対のテンプル，前記フロントの中央部から後方に突出する一対の鼻パッドを含むメガネフレームと、前記メガネフレームのフロントに保持された一対のプラスチック製のレンズから成るメガネにおける前記メガネフレームの各部またはレンズの何れかに配置されるセラミック製の機能部材。
【発明の詳細な説明】
【技術分野】
【０００１】
本発明は、プラスチックレンズを使用したメガネに関し、特に使用時における視界の切れ味及び空気感を改善したメガネ及びメガネを構成するメガネフレームの各部またはレンズに配置されるセラミック製の機能部材に関するものである。
【背景技術】
【０００２】
従来一般的に、メガネは、メガネフレーム及び一対のレンズから構成されている。
メガネフレームは、前記一対のレンズを保持するフロントと、前記フロントの両端から後方に向かって延び且つ折り畳み可能に前記フロントに対して支持される一対のテンプルと、前記フロントの中央部から後方に突出する一対の鼻パッドと、から構成されている。
レンズは、前記フロントに保持され、透明材料から成る凸状または凹状の所謂メニスカスレンズである。
【０００３】
このような構成のメガネによれば、使用者が左右のテンプルを自分の頭部の左右にて耳の上側に掛けると共に、鼻パッドを自分の鼻部の左右両側に当接させることにより、メガネが装着される。
これにより、左右のレンズがそれぞれ使用者の眼の直前に保持され、使用者は、両眼でそれぞれ左右の対応したレンズを介して前方を見ることができる。その際、前方から光がレンズを介して眼内に進入し、各眼のレンズ体の屈折作用により、さらにメガネの各レンズの屈折作用により矯正されて、使用者の眼の網膜上に正しく結像されるようになっている。
【発明の概要】
【発明が解決しようとする課題】
【０００４】
ところで、メガネのレンズとしては、加工がしやすいことや軽量であること等の観点から、現在多くプラスチックレンズが使用されている。
しかしながら、プラスチックレンズの場合、材料であるプラスチック自体の硬度が、ガラスレンズの材料であるガラスと比較して低いため、傷がつきやすく、またレンズを通した視界の切れ味が甘く感じてしまうことがある。
ここで、傷がつきやすい点に関しては、レンズ表面により硬度の高いコーティング層を設けることによって、解決されるが、切れ味の甘さについては、未だ解決されていない。
【０００５】
また、プラスチックレンズの場合も、またガラスレンズの場合も、使用者の眼前にレンズが位置することから、視認しようとする対象物と使用者の眼の間にレンズが存在することになる。このため、裸眼で直接に対象物を視認する場合に比べて、レンズ自体の存在によって、使用者が息苦しさ、即ち眼に呼吸を詰めた感じを覚える、所謂空気感が損なわれて、視認性が低下してしまう。
ここで、空気感とは、メガネ全体として調和することにより使用者に対して違和感を与えなくする様子や雰囲気のことであり、例えば陶器のコップとガラスのコップを手に取って見れば分かるように、素焼きのコップもしくは高台まで釉薬がかぶらない陶器のコップは、ガラスのコップを持った場合に比して空気を孕む素材感から手に力みなく柔らかくなじむ感じを使用者に与える。
力みなく柔らかくなじむということは、疲労や倦怠感を与えることなく、快適に使用できるかという観点からすると長時間使用するメガネにおいて重要な要素であって、素材から得られる感覚要素ではあるものの、空気に接している感触、雰囲気に通ずる表現として用いている。
【０００６】
この空気感が損なわれて、視認性が低下する問題は、特に強い度のレンズの使用者においては、歪みなく見れる領域がレンズの中心部付近の狭い領域に限られるため、視認しようとする対象物が動く場合、裸眼により直視するのと比較して、違和感が大きく無視できないものとなっている。
【０００７】
さらに、プラスチックレンズ及びフレームで発生する微小振動、あるいはゆらぎといえるものもレンズを通した視界の切れ味の甘さを生じさせる一因となっている。
即ち、プラスチックレンズの微小振動あるいはゆらぎ等の要因としては、温度変化による熱収縮の度合いが大きいこと、外力による歪み耐性の弱さ、絶縁性能の高さによる帯電性などがあげられ、これらを要因とする物理的変化は数値上はごく僅かであるが、これに伴う焦点距離、焦点位置の誤差などは、知覚可能な程度にまで影響を及ぼすものであって看過しきれるものではない。
にもかかわらず、こういった部分については今まで放置されてきた。
【０００８】
本発明は、以上の点に鑑み、簡単な構成により、使用時における視界の切れ味及び空気感を改善するようにしたメガネ及びメガネの各部に配置される機能部材を提供することを目的としている。
【課題を解決するための手段】
【０００９】
上記目的は、本発明の第一の構成によれば、一対のレンズを保持するフロント，フロントの両端から後方に向かって延び且つ折り畳み可能に前記フロントに対して支持される一対のテンプル，フロントの中央部から後方に突出する一対の鼻パッドを含むメガネフレームと、メガネフレームのフロントに保持された一対のプラスチック製のレンズから成るメガネにおいて、メガネフレームの各部またはレンズの何れかに、セラミック製の機能部材を備えたメガネにより、達成される。
【００１０】
本発明によるメガネは、好ましくは、機能部材が、セラミック製のチップ片から成る。
これに限らずセラミック以外の硬質な素材を用いて同様のチップとすることにより、同様の機能部材とすることも可能である。
【００１１】
本発明によるメガネは、好ましくは、チップ片が、その中心に穴を有している。
【００１２】
本発明によるメガネは、好ましくは、チップ片が、円形の外形を有している。
【００１３】
本発明によるメガネは、好ましくは、チップ片が、多角形状の外形を有している。
【００１４】
本発明によるメガネは、好ましくは、機能部材が、メガネレンズに設けられた貫通穴内に挿入され固定されている。
【００１５】
本発明によるメガネは、好ましくは、機能部材が、貫通穴の寸法に対応した棒状に形成されている。
【００１６】
また、上記目的は、本発明の第二の構成によれば、一対のレンズを保持するフロント，前記フロントの両端から後方に向かって延び且つ折り畳み可能に前記フロントに対して支持される一対のテンプル，前記フロントの中央部から後方に突出する一対の鼻パッドを含むメガネフレームと、前記メガネフレームのフロントに保持された一対のプラスチック製のレンズから成るメガネにおける前記メガネフレームの各部またはレンズの何れかに配置されるセラミック製の機能部材により、達成される。
【発明の効果】
【００１７】
上記構成によれば、機能部材がメガネフレームの各部またはレンズに備えられることによって、機能部材の周辺領域におけるメガネフレームまたはレンズの硬度が局部的に高められることになる。これにより、プラスチックレンズ及びフレームで発生する微小振動、あるいはゆらぎと言えるものが抑制され、プラスチックレンズを使用したメガネにおける低い硬度に基づく視界の切れ味の甘さが改善される。
また、機能部材は、多結晶構造を有するセラミックに特有の、一定方向に振動ピークを持たないという特徴及び、環境変化に対する優れた形状安定性、更に硬度が高いという特徴を持つことにより、違和感の少ないダンパーとして機能して、プラスチックレンズ及びフレームで発生した微小振動を抑制しつつ、その振動エネルギーを機能部材が持つ形状と大きさに比例した自己共振エネルギーに変換することにより、メガネの各部に生じる微小振動の差異を吸収、整列せしめる。
【００１８】
そして、使用者は、このような局部的な硬度の変化を優先的に感じて、メガネ全体における硬度の変化として知覚する傾向がある。従って、視界の切れ味が、局部的ではなく、使用者の視野全体に亘って向上することになる。
また、使用者が視認しようとする対象物と使用者の眼の間にレンズが存在することによる空気感の低下も、機能部材による硬度感の上昇という主たる要因に加え、多孔質セラミックにおける気孔の存在、機能部材に設けられた中心穴という硬質な素材に囲まれた微小空間によって空気感が高められ、同様にして、レンズ全体としてその空気感が高められ、メガネ使用時の視認性が向上することになる。
さらに、自己共振により局部的なものとしてではなく、使用者の視野全体に亘って視界の切れ味及び空気感が向上したように感じられることになる。
【図面の簡単な説明】
【００１９】
【図１】本発明によるメガネの一実施形態の構成を示す概略斜視図である。
【図２】図１のメガネにおけるレンズへの機能部材の配置例を示す（Ａ）正面図及び（Ｂ）底面図である。
【図３】図１のメガネに備えられる機能部材の第一の形成例を示す（Ａ）平面図及び（Ｂ）側面図である。
【図４】図１のメガネに備えられる機能部材の第二の形成例を示す（Ａ）平面図及び（Ｂ）側面図である。
【図５】図１のメガネに備えられる機能部材の第三の形成例を示す（Ａ）平面図及び（Ｂ）側面図である。
【図６】図１のメガネに備えられる機能部材の第四の形成例を示す（Ａ）平面図及び（Ｂ）側面図である。
【図７】図１のメガネにおけるレンズへの機能部材の第二の配置例を示す（Ａ）平面図及び（Ｂ）底面図である。
【図８】図１のメガネにおけるレンズへの機能部材の第三の配置例を示す（Ａ）平面図及び（Ｂ）底面図である。
【図９】図１のメガネに備えられる機能部材の第五の形成例を示す（Ａ）平面図及び（Ｂ）側面図である。
【図１０】図１のメガネに備えられる機能部材の第六の形成例を示す（Ａ）平面図及び（Ｂ）側面図である。
【図１１】図１のメガネに備えられる機能部材の第七の形成例を示す（Ａ）平面図及び（Ｂ）側面図である。
【発明を実施するための形態】
【００２０】
図１は、本発明によるメガネの一実施形態の構成を示している。
図１において、メガネ１０は、メガネフレーム１１と、一対のレンズ２０と、機能部材３０と、から構成されている。
【００２１】
メガネフレーム１１は、それ自体公知の構成であって、一対のレンズ２０を保持するフロント１２と、フロント１２の両端から後方に向かって延びる一対のテンプル１３と、フロント１２の中央部から後方に突出する一対の鼻パッド１４と、から構成されている。
【００２２】
フロント１２は、図示の場合、金属製であって、一対のレンズ２０をそれぞれ保持する二つの枠体１２ａ，１２ｂから構成されており、これらの枠体１２ａ，１２ｂは互いにブリッジ１２ｃにより連結されている。
【００２３】
テンプル１３は、同様に金属製であって、それぞれ後端付近が使用者の耳に掛かるように下方に向かって屈曲しており、図示の場合、使用者の耳に掛かる後端部分には、当たりをやわらげるために、例えばプラスチック製の耳当て部１３ａが備えられている。
鼻パッド１４は、例えばシリコン等の軟質プラスチック製であって、使用者の鼻の左右面に正しく当接し得るように、例えば図示しないクリングスにより揺動可能に支持されている。
【００２４】
レンズ２０は、プラスチックレンズであって、それぞれ使用者の左右の眼の視力に合わせて調整された視度を有する凸状または凹状のメニスカスレンズとして形成されている。
【００２５】
機能部材３０は、図２に示すように、各レンズ２０の側縁付近にて、それぞれ各レンズ２０の表面に貼り付けられている。尚、図２においては、機能部材３０は、レンズ２０の表面の一箇所に配置されているが、これに限らず、裏面、側面を含む複数個所に配置されていてもよい。
【００２６】
ここで、機能部材３０は、例えばＳｉＣや、アルミナ等のファインセラミック、あるいは陶器、磁器といった広義のセラミック材料から成り、図３に示すように、薄い円板状のセラミックチップとして形成されていて、中心穴３１を備えている。この中心穴３１は、セラミックチップを構成するセラミック材料の内包する気孔が多い所謂多孔質セラミック材料の場合には、図４に示すように、中心穴３１は省略されてもよい。  
この場合、機能部材３０は、例えば厚さｔが０．２ｍｍ〜２ｍｍ程度、好ましくは０．５ｍｍ、外径Ｄが０．８ｍｍ〜４ｍｍ程度、好ましくは外径２ｍｍに、また中心穴の内径ｄが０．２〜２ｍｍ程度、好ましくは０．６ｍｍに選定される。
【００２７】
また、機能部材３０は、円板状である必要はなく、例えば図５に示すように、薄い八角形の板状に中心穴を有するもの、あるいは多孔質セラミック材料の場合には、図６に示すように薄い正八角形の板状に中心穴を有しないものであってもよい。
この場合、機能部材３０は、例えば厚さｔが０．２ｍｍ〜２ｍｍ程度、好ましくは０．５ｍｍ、外寸Ｄが１ｍｍ〜４ｍｍ程度、好ましくは外寸２ｍｍに、また中心穴の内径ｄが０．２〜２ｍｍ程度、好ましくは０．５ｍｍに選定される。
【００２８】
さらに、機能部材３０は、例えば図９に示すように、エンゼル型の形状のように中心穴を有するものであってもよい。
この場合、機能部材３０は、例えば厚さｔが０．３ｍｍ〜２ｍｍ程度、好ましくは０．４ｍｍ、外径Ｄが１ｍｍ〜４ｍｍ程度、好ましくは外径２ｍｍ、中心穴の内径ｄが０．１〜２ｍｍ程度、好ましくは０．４ｍｍ、また半径ｒが０．２ｍｍ〜１ｍｍ程度、好ましくは０．４ｍｍに選定される。
ここで半径ｒに示される形状は、必ずしも半径に示される形状でなくてもよく、楕円、曲線または部分的に直線で形成されてもよい。
【００２９】
その他、機能部材３０は、例えば図１０に示すように、半球形状に中心穴を有するもの、あるいは多孔質セラミック材料の場合には、図１１に示すように半球形状に中心穴を有しないものであってもよい。
この場合、機能部材３０は、例えば厚さｔが０．４ｍｍ〜２ｍｍ程度、好ましくは１ｍｍ、外径Ｄが０．８〜４ｍｍ程度、好ましくは外径２ｍｍに、中心穴の内径ｄが０．２ｍｍ〜２ｍｍ程度、好ましくは０．６ｍｍ、また半径ｒが０．４ｍｍ〜２ｍｍ程度、好ましくは１ｍｍに選定される。
ここで半径ｒに示される形状は、必ずしも半径に示される形状でなくてもよく、楕円、曲線または部分的に直線で形成されてもよい。
【００３０】
なお、上記の外径Ｄとして示す円形状部分は、必ずしも円でなく、楕円等の形状をとってもよい。
このように、機能部材３０の形状及び大きさを選択的に調整することにより、自己共振のモードが、視界を阻害することなく、セラミック特有の素材感とあいまって空気感といえる感覚を伝えやすくなる。
ここでいう、素材感とは、セラミックにおける気孔の存在、または気孔が少ない素材においては機能部材に設けられた中心穴という素材に囲まれた微小空間といった空気を孕む構造によってもたらされる感触のことである。
そして、図３、図４、図５、図９、図１０、図１１に示す機能部材３０の形状は空気感と視界の切れ味の効果を両立させるべく見出されたものである。
【００３１】
また、一般的な陶器、磁器においては釉薬を用いて表面処理を行うが、本機能部材においても端面を釉薬などにより表面処理することで視界における切れ味を更に改善することが期待できる。
【００３２】
本発明によるメガネ１０は、以上のように構成されており、使用時には、使用者がテンプル１３の耳当て部１３ａを自分の両耳の上側に掛けると共に、鼻パッド１４を自分の鼻部の左右両側に当接させることにより、メガネ１０が装着される。
この状態で、外部から光が双方のレンズ２０を介して使用者の両眼にそれぞれ入射し、さらに各眼のレンズ体を通って、網膜上に進入する。
そして、レンズ２０の屈折作用及び眼のレンズ体の屈折作用により、対象物の像が網膜上に正しく結像して、対象物が視認されることになる。
【００３３】
ここで、レンズ２０に機能部材３０が貼着されていることにより、レンズ２０の硬度が局部的に高められる。
これに対して、使用者は、このような局部的な硬度の変化をメガネ１０全体における硬度の変化と知覚する傾向がある。従って、レンズ２０を介した視界の切れ味が、使用者の視野全体に亘って向上することになる。
また、使用者が視認しようとする対象物と使用者の眼の間にレンズ２０が存在することによる空気感の低下も、同様にして、機能部材３０による硬度の上昇に伴って、レンズ２０全体として、さらにメガネ１０全体として、改善されるので、空気感が高められ、メガネ２０使用時における視認性が向上することになる。
さらに、機能部材３０の働きである微小振動抑制効果と自己共振効果により使用者の視野全体に亘って視界の切れ味及び空気感が向上したように感じられることになる。
【００３４】
上述した実施形態においては、機能部材３０は、レンズ２０の側縁付近の表面に貼着されているが、これに限らず、例えば図７に示すように、レンズ２０の表面側に埋め込まれていてもよい。
即ち、図７において、機能部材３０は、図１におけるメガネ１０で使用される機能部材３０と同じものである。そして、機能部材３０は、レンズ２０の側縁付近の表面側に凹陥部２０ａ内に埋め込んで配置されている。これに限らず凹陥部は裏面、側面に設け配置してもよい。
【００３５】
凹陥部２０ａの深さは、機能部材３０の厚さに対応して選定されることにより、機能部材３０が凹陥部２０ａ内に埋め込まれたとき、機能部材３０の表面がレンズ２０の表面とほぼ同一平面となるように構成されている。
尚、凹陥部２０ａの深さを機能部材３０の厚さより深く選定しておき、凹陥部２０ａ内に機能部材３０を埋め込んだ後、凹陥部２０ａ内に、機能部材３０の上から、充填材を充填・硬化させて、凹陥部２０ａの表面をレンズ２０の表面と同一平面となるようにしてもよい。
【００３６】
このような構成のメガネによれば、図１及び図２に示したメガネ１０と同様にして、レンズ２０に機能部材３０が埋め込まれていることにより、レンズ２０の硬度が局部的に高められる。そして、使用者が、このような局部的な硬度の変化をメガネ１０全体における硬度の変化と知覚するので、レンズ２０を介した視界の切れ味が、使用者の視野全体に亘って向上することになる。
さらに、機能部材３０の働きである微小振動抑制効果と自己共振効果により使用者の視野全体に亘って視界の切れ味及び空気感が向上したように感じられることになる。
【００３７】
また、図８に示すように、レンズ２０の側縁付近に、レンズ２０を表面側から裏面側まで貫通する貫通穴２０ｂを設けておき、この貫通穴２０ｂに対応する形状の機能部材３２を埋め込むようにしてもよい。
この場合、貫通穴２０ｂは、ほぼ円筒状に形成されていると共に、機能部材３２は、貫通穴２０ｂの内径より僅かに小径の棒状に形成されている。これにより、機能部材３２がレンズ２０の貫通穴２０ｂ内に挿入・固定されることによって、レンズ２０の側縁付近に機能部材３２が埋め込まれることになる。
【００３８】
このような構成のメガネによれば、同様に、レンズ２０に機能部材３２が埋め込まれていることにより、レンズ２０の硬度が局部的に高められる。そして、使用者が、このような局部的な硬度の変化をメガネ１０全体における硬度の変化と知覚するので、レンズ２０を介した視界の切れ味が、使用者の視野全体に亘って向上すると共に、メガネ１０全体として空気感が高められ、視認性が向上する。
さらに、機能部材３０の働きである微小振動抑制効果と自己共振効果により使用者の視野全体に亘って視界の切れ味及び空気感が向上したように感じられることになる。
【００３９】
上述した実施形態においては、機能部材３０または３２は、いずれもレンズ２０の側縁付近に貼着または埋め込みにより配置されているが、これに限らず、メガネ１０の他の部分に、機能部材が配置されていてもよい。
例えば、図１において、メガネフレーム１１の鼻パッド１４におけるクリングス等の固定部分（矢印Ａ）やテンプル１３における耳当て部１３ａとの境界付近（矢印Ｂ）に、機能部材３０が貼着されていてもよい。
【００４０】
このような機能部材３０の配置によれば、機能部材３０により、メガネ１０のフロント１２またはテンプル１３の硬度が局部的に高められることになる。
これにより、使用者が、このような局部的な硬度の変化をレンズ２０を含むメガネ１０全体における硬度の変化と知覚するので、レンズ２０を介した視界の切れ味が、使用者の視野全体に亘って向上すると共に、メガネ１０全体として空気感が高められ、視認性が向上する。
さらに、機能部材３０の働きである微小振動抑制効果と自己共振効果により使用者の視野全体に亘って視界の切れ味及び空気感が向上したように感じられることになる。
【００４１】
また、上述した実施形態においては、機能部材３０，３２は、いずれもレンズ２０またはテンプル１３に対して左右一対が配置されているが、これに限らず、左右のバランスを考慮して、左右対称の位置に複数対の機能部材３０または３２が設けられていてもよい。
なお、機能部材３０の配置位置については、好ましくは、フロントを前、テンプルを後ろとした場合、その前後の重量バランスがとれる位置、概ねテンプルのフロントよりから５cmの場所に一対配置しておくことが有効である。
このように配置することによって、機能部材３０の自己共振効果を最大限に発揮することが可能となる。
【産業上の利用可能性】
【００４２】
本発明はその趣旨を逸脱しない範囲において様々な形態で実施することができる。
例えば、上述した実施形態においては、機能部材３０または３２は、レンズ２０の側縁付近または鼻パッド１４，テンプル１３に配置されているが、これに限らず、レンズ２０の他の部分、例えばフロント１２の枠体１２ａ，１２ｂ，ブリッジ１２ｃやテンプル１３の耳当て部１３ａ等のメガネフレーム１１の任意の部分に、機能部材が貼着または埋め込み等により配置されていてもよいことは明らかである。
【００４３】
また、上述した実施形態においては、機能部材３０は、外形が円形または正八角形に形成されているが、これに限らず、中心穴を備えあるいは中心穴のない正多角形あるいは楕円の外形であってもよいことは明らかである。
【００４４】
また、上述した実施形態においては、機能部材３０の中心穴の形状は、同心円状のみならず、多角形や星形、または球形など、機能及びデザインを考慮した種々の形状であってもよいことは明らかである。
【００４５】
また、上述した実施形態においては、機能部材３０，３２をメガネ１０に使用した場合について説明したが、これに限らず、このような機能部材３０，３２の貼着または埋め込み等による配置は、プラスチックレンズを使用した例えばデジタルカメラ等の光学機器や携帯端末等の各種機器にも応用することが可能であり、これにより、撮像した画面の切れ味が向上し、空気感が高められることになる。
【００４６】
さらには、上述した機能部材３０，３２の貼着または埋め込み等による配置は、使用者が視認しようとする画面を提供するディスプレイを備えた携帯端末，パーソナルコンピュータ，テレビジョン装置等の各種機器にも応用することが可能であり、これにより、画面上に表示された画像の切れ味が向上することになる。
【００４７】
以上述べたように、本発明によれば、簡単な構成により、使用時における視界の切れ味及び空気感を改善するようにしたメガネ及びメガネの各部に配置される機能部材が提供される。
【符号の説明】
【００４８】
１０    メガネ
１１    メガネフレーム
１２    フロント
１２ａ，１２ｂ  枠体
１２ｃ  ブリッジ
１３    テンプル
１３ａ  耳当て部
１４    鼻パッド
２０    レンズ
３０    機能部材
３１    中心穴
３２    機能部材
【図１】
2014074903.tif 000003
【図２】
2014074903.tif 000004
【図３】
2014074903.tif 000005
【図４】
2014074903.tif 000006
【図５】
2014074903.tif 000007
【図６】
2014074903.tif 000008
【図７】
2014074903.tif 000009
【図８】
2014074903.tif 000010
【図９】
2014074903.tif 000011
【図１０】
2014074903.tif 000012
【図１１】
2014074903.tif 000013